(57)【要約】      （修正有）【課題】道糸とガイドリングとの摩擦をできる限り小さくした安定性のあるテンビンを提供する。【解決手段】竿側のアーム部１、ハリス側のアーム部２、及び両アーム部を束ねて端部に錘装着部を有する軸部３によって構成される遊動式テンビンで、竿側アーム部及びハリス側アーム部の端部のガイド４，５に、セラミック製のリングを有する既存の釣竿用ガイドを使用し、摩擦抵抗を低減した。また、テンビンの両端だけでなく、中央部にも同じくセラミック製のリングを有するガイド６を配し、魚の疾走時に生じるテンビンの振動を抑えている。【選択図】図１
0003188342.tif 000002
【実用新案登録請求の範囲】
【請求項１】
釣りに使用する遊動式テンビンであって、
軸部と、
前記軸部から垂直方向に連続して伸びる竿側のアーム部と、
同じく前記軸部から垂直方向に連続して伸びるハリス側のアーム部と、
から成り、少なくとも、
前記竿側のアーム部の端部と、
前記ハリス側のアーム部の端部と、
前記竿側のアーム部と前記ハリス側のアーム部との接続部分近傍と、
の３箇所にセラミック製リングを有するガイドが配置されていることを特徴とするテンビン。
【考案の詳細な説明】
【技術分野】
【０００１】
本考案は、セラミック製リングを配置したガイドを使用する遊動式テンビンに関する。
【背景技術】
【０００２】
投げ釣り・カゴ釣り・船釣りにおいては、仕掛けがらみや糸がらみを防止するために、テンビンを使用する。テンビンには固定式のものと遊動式のものがある。固定式のものは、道糸とハリスをテンビンのアームに固定する。固定式のテンビンは、アームの反発力によって口にハリががっちりと掛かるというメリットがある。
【０００３】
一方、遊動式のものはアームの両端部にガイドと呼ばれるリングが設けられており、道糸とハリスは連結している。道糸はテンビンに固定されることなく、遊動しながらテンビンをガイドする。大物狙いの投げ釣りや船釣りにおいては、魚に違和感なく針をくわえさせるため、遊動式のテンビンが使用されることが多い。
【先行技術文献】
【特許文献】
【０００４】
【特許文献１】特開２０１３−１４６２５９号
【特許文献２】特開２００８−１２５５０１号
【特許文献３】特開平１０−１４４６２号
【考案の概要】
【考案が解決しようとする課題】
【０００５】
遊動式のテンビンにおいては、道糸がテンビンの案内をするため、道糸は常にガイドとの摩擦に曝される。ガイドはテンビン素材であるＳＵＳ等の金属を両端で丸めて溶接し輪にしたものであるため、摩擦によって生じる道糸への負荷は小さくない。とくに、遊動式のテンビンは大物の投げ釣りに使用されることが多いため、ハリ掛かりした魚の強い動きにより、ガイドとの摩擦で切れてしまうこともある。
【０００６】
また、ガイドは通常、テンビン両端の２ヶ所のみであるため、魚の疾走時に、テンビン自体が振動して安定感に欠け、魚が針から外れてしまうこともある。
【０００７】
特許文献１に開示の発明はカゴ釣り用のテンビン、特許文献２は投げ釣り用のテンビンであり、両者とも絡みの防止を課題とするものである。これらのテンビンと本考案に係るテンビンとは使用状況は異なるが、両者とも遊動式のテンビンであることから、本考案と共通の課題が存在する。すなわち、これらのテンビンは両端にのみガイドを有し、リングの素材は従来の金属製のものを使用するため、ハリ掛かり時における糸とガイドとの摩擦による不安定さと切断の問題が生じる可能性が高い。
【０００８】
特許文献３には、細いハリスと道糸で大物を釣り上げることを課題とする船釣り用テンビンが開示されている。しかしながら、この発明は課題解決のために６から７のガイドリングと係合リングを使用するもので、各リングの溶接等の工程を考慮すると、制作時間と費用の観点から現実的ではない。また、ガイドリングの材質は従来のままである。
【０００９】
以上の問題を解決すべく、本考案においては、既存のテンビンに部品を追加するだけで、道糸とガイドリングとの摩擦をできる限り小さくした安定性のある遊動式テンビンを提供することを課題とする。
【課題を解決するための手段】
【００１０】
上記課題を解決するため本考案に係る遊動式テンビンは、竿側のアーム部、ハリス側のアーム部、及び両アーム部を束ねて端部に錘装着部を有する軸部によって構成され、竿側アーム部及びハリス側アーム部の端部のガイドに、セラミック製のリングを有する既存の釣竿用ガイドを使用し、摩擦抵抗を低減した。また、テンビンの両端だけでなく、中央部にも同じくセラミック製のリングを有するガイドを配し、魚の疾走時に生じるテンビンの振動を抑えている。
【考案の効果】
【００１１】
ガイドにセラミックリングを有し、道糸とガイドリングとの摩擦が小さくなるため、道糸が切れる危険が減少する。
【００１２】
テンビン中央部にもセラミック製リングを有するガイドを設置したため、ハリ掛かり時の魚の疾走に起因するテンビンの振動が減少し、遊泳力の大きな魚（カツオ・マグロ類）の捕獲率が上がる。
【図面の簡単な説明】
【００１３】
【図１】本実施例の遊動式テンビンの正面図である。
【図２】竿側・ハリス側のガイドの斜視図である。
【図３】中央部に設置されるガイドの斜視図である。
【考案を実施するための形態】
【００１４】
以下、本考案の実施形態の１例を図面を参照して説明する。
【００１５】
図１に示すように、本考案に係る遊動式テンビンは、竿側のアーム部１、ハリス側のアーム部２、及び両アーム部を直角方向に束ねて端部に錘装着部を有する軸部３によって構成され、竿側のアーム部の端部、ハリス側のアーム部の端部及び両端部の略中央に位置する軸部３の近傍、の３箇所に、それぞれガイド４，６，５が、道糸の方向に一直線上に配置されている。
【００１６】
上記各ガイドには、市販の釣竿用セラミックガイドを使用する。図２は本実施形態で使用する竿側アーム部１及びハリス側アーム部２の端部に配置されているガイド４，５の斜視図、図３は中央部に配置されているガイド６の斜視図である。各ガイドはＳＵＳ製のリングフレーム５１（６１）の内側にセラミック製リング５２（６２）をホールドする構造となっている。
【００１７】
本実施形態では、竿側及びハリス側のガイド５，６には、釣竿先端に装着するタイプのものを使用するため、ガイド基底部にパイプ５３を有する（図２）。また、このタイプのガイドは、リングがパイプ５３に対する垂直方向から若干外側に傾斜している。アームとの接続は、パイプ５３をアーム端部に被着させたうえ溶接する。内側にホールドされているセラミック製リング５２の内径は５ｍｍ程度となっている。
【００１８】
一方、中央部に配置されるガイド６は、竿の胴部に配置されるタイプのガイドを使用し、アーム部との接続は溶接による。内側のセラミック製リング６２の内径は７ｍｍ程度となっている。
【００１９】
ガイド内のセラミックリング５２，６２は、針掛かりした魚の疾走時に生じる道糸との摩擦を減少させ、道糸にかかる負荷を軽減させる。また、中央部ガイド６は、道糸を軸部近傍の位置に遊動的に保持するので、アームのしなりを少なくし、テンビンの振動を抑える。
【００２０】
以上、本考案の有する特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特にテンビンの形状、素材、大きさ及び部品の配置・数を変更しての実施が可能である。特にテンビンに設置されるガイドの数とアームへの着設方法、セラミック製リングの大きさについては、様々なものとすることが可能であり、それらは本考案の技術的範囲に含まれる。
【符号の説明】
【００２１】
１      竿側アーム部
２      ハリス側アーム部
３      軸部
４      竿側ガイド
５      ハリス側ガイド
５１    リングフレーム
５２    セラミック製リング
５３    パイプ
６      中央部ガイド
６１    リングフレーム
６２    セラミック製リング
【図１】
0003188342.tif 000003
【図２】
0003188342.tif 000004
【図３】
0003188342.tif 000005